(57)【要約】【課題】記録中の用紙の浮きを積極的に抑えて、記録品質を向上させる。【解決手段】浮き抑えローラー１２を排出部ガイド部１５に対して接近および離間する方向に移動させる移動機構１３、を備え、記録ヘッド９による往復移動と搬送ローラー対６による搬送とを交互に行うことで用紙Ｐに記録を行い、浮き抑えローラー１２は、移動機構１３によって、記録ヘッド９が往復移動中には第１の位置に位置し、用紙Ｐが搬送中には第２の位置に位置し、第１の位置は、第２の位置よりも排出部ガイド部１５に近い位置にある記録装置を提供する。【選択図】図１
2016034700.tif 000002
【特許請求の範囲】
【請求項１】
被記録媒体に記録を行う記録装置であって、
被記録媒体を搬送する搬送部と、
前記搬送部により搬送された前記被記録媒体に往復移動しながら記録する記録部と、
前記記録部に対向可能に設けられ、前記被記録媒体を支持する支持部と、
前記記録部により記録された前記被記録媒体を排出する排出部と、
前記被記録媒体に記録された記録面とは反対側に位置し、前記排出部により排出される前記被記録媒体を支持する排出部ガイド部と、
前記排出部ガイド部と対向可能に設けられ、前記被記録媒体の浮きを抑える浮き抑えローラーと、
前記排出部により排出される前記被記録媒体に対して、前記浮き抑えローラーを前記排出部ガイド部に対して接近および離間する方向に移動させる移動機構と、を備え、
前記記録装置は、前記記録部による往復移動と前記搬送部による搬送とを交互に行うことで前記被記録媒体に記録を行い、
前記浮き抑えローラーは、前記移動機構によって、前記記録部が往復移動中には第１の位置に位置し、前記被記録媒体が搬送中には第２の位置に位置し、前記第１の位置は、前記第２の位置よりも前記排出部ガイド部に近い位置にあることを特徴とする記録装置。
【請求項２】
請求項１に記載の記録装置であって、
前記第１の位置における前記浮き抑えローラーは、前記被記録媒体の薄い方が厚い方より前記排出部ガイド部に近い位置に設定されることを特徴とする記録装置。
【請求項３】
請求項２に記載の記録装置であって、
前記記録部は、前記支持部に対して接近および離間する方向に移動可能に備えられ、
前記記録部が前記支持部側に移動されると、前記第１の位置は前記排出部ガイド部側に移動されることを特徴とする記録装置。
【発明の詳細な説明】
【技術分野】
【０００１】
本発明は、記録装置に関する。
【背景技術】
【０００２】
記録ヘッドからインクを噴射して用紙（被記録媒体）に画像を記録する記録装置としてのインクジェット式プリンターでは、インクが吸収された用紙の部分が延びることによって、用紙の断面形状が、一方の面側に突出した湾曲形状となるいわゆるカールが生じる恐れがある。カールが生じると、用紙が浮き上がることにより、記録ヘッドのノズル形成面に接触することがある。そのため、用紙にインクが付着して用紙を汚す、ヘッドのノズル面を汚す、用紙がジャムするなどの少なくともいずれかの問題が発生する可能性がある。
そこで、例えば、特許文献１では、用紙の浮き上がりを防止するため、インクを噴射する記録ヘッドの下流側に、用紙の浮きを抑えるための浮き抑えローラーが備えられる。用紙は、記録ヘッドから噴射されるインクが着弾されながら、浮き抑えローラーと、浮き抑えローラーと対向する排紙面との間を通って搬送される。
特許文献１において、浮き抑えローラーが保持されるユニットは、ガイド面としてのテーパー面を有しており、カールした用紙の先端面がテーパー面に沿って排紙され、浮き抑えローラーに当接するように案内される構成を備え、浮き抑えローラーと、浮き抑えローラーと対向する搬送面との間には、用紙の先端を通すため、あるいは先端が通過した後の搬送を行うための隙間が設けられている。
【先行技術文献】
【特許文献】
【０００３】
【特許文献１】特開２００８−３６９０７号公報
【発明の概要】
【発明が解決しようとする課題】
【０００４】
上述した隙間があると、用紙は記録ヘッドに対向可能な支持部に対して十分に浮きを抑えられない可能性があった。
ところで、記録装置として、記録ヘッドを搭載したキャリッジが用紙の上方を往復移動しながら用紙に記録を行い、用紙の搬送方向における記録ヘッドの長さ分に対応する記録が終了すると用紙を搬送方向に送り、再度キャリッジが用紙の上方を往復移動して用紙に記録を行うシリアル型のインクジェット式プリンターがある。
シリアル型のインクジェット式プリンターは記録中には用紙を搬送しないため、記録中の用紙の浮きを積極的に抑えて、記録品質を向上したいというニーズがあった。
【課題を解決するための手段】
【０００５】
本発明は、上述の課題の少なくとも一部を解決するためになされたものであり、以下の形態または適用例として実現することが可能である。
【０００６】
［適用例１］被記録媒体に記録を行う記録装置であって、被記録媒体を搬送する搬送部と、前記搬送部により搬送された前記被記録媒体に往復移動しながら記録する記録部と、前記記録部に対向可能に設けられ、前記被記録媒体を支持する支持部と、前記記録部により記録された前記被記録媒体を排出する排出部と、前記被記録媒体に記録された記録面とは反対側に位置し、前記排出部により排出される前記被記録媒体を支持する排出部ガイド部と、前記排出部ガイド部と対向可能に設けられ、前記被記録媒体の浮きを抑える浮き抑えローラーと、前記排出部により排出される前記被記録媒体に対して、前記浮き抑えローラーを前記排出部ガイド部に対して接近および離間する方向に移動させる移動機構と、を備え、前記記録装置は、前記記録部による往復移動と前記搬送部による搬送とを交互に行うことで前記被記録媒体に記録を行い、前記浮き抑えローラーは、前記移動機構によって、前記記録部が往復移動中には第１の位置に位置し、前記被記録媒体が搬送中には第２の位置に位置し、前記第１の位置は、前記第２の位置よりも前記排出部ガイド部に近い位置にあることを特徴とする記録装置。
【０００７】
本適用例によれば、浮き抑えローラーは、移動機構によって、記録部が往復移動中には第１の位置に位置し、被記録媒体が搬送中には第２の位置に位置し、第１の位置は、第２の位置よりも排出部ガイド部に近い位置にある。これにより、記録部が往復移動中の第１の位置にあるときの浮き抑えローラーは、被記録媒体が搬送中の第２の位置にあるときより、被記録媒体を排出部ガイド部側に近い位置で抑えるので、カールによる被記録媒体の浮き上がりを抑制し、記録品質が向上する。
【０００８】
［適用例２］前記第１の位置における前記浮き抑えローラーは、前記被記録媒体の薄い方が厚い方より前記排出部ガイド部に近い位置に設定されることを特徴とする上記記録装置。
【０００９】
本適用例によれば、カールによる薄い被記録媒体の浮き上がりを抑制し、記録品質が向上する。
【００１０】
［適用例３］前記記録部は、前記支持部に対して接近および離間する方向に移動可能に備えられ、前記記録部が前記支持部側に移動されると、前記第１の位置は前記排出部ガイド部側に移動されることを特徴とする上記記録装置。
【００１１】
本適用例によれば、記録部が支持部側に移動しても、記録部と支持部とが対向する方向において、記録部と浮き抑えローラーとの距離は確保できるので、被記録媒体が記録部に接触することを抑制できる。
【図面の簡単な説明】
【００１２】
【図１】インクジェット式プリンターの概略構成を示す側断面図。
【図２】浮き抑えローラーの斜視図。
【図３】移動機構の構成を説明するための模式図。
【図４】実施形態２における移動機構の構成を説明するための模式図。
【発明を実施するための形態】
【００１３】
（実施形態１）
以下、記録装置の一実施形態について、図面に従って説明する。図１は、本実施形態における記録装置としてのインクジェット式プリンター１の概略構成を示す側断面図である。被記録媒体としての用紙Ｐは、回動軸２ａを支点として回動するホッパー２によって、断面が略Ｄ形状の給送ローラー３に向けて押し上げられる。給送ローラー３の回転により、最上位の用紙Ｐが壁部４の案内面４ａに沿って搬送方向（副走査方向Ｙ）における下流側（以降、上流側、下流側は、副走査方向Ｙにおける方向をいう）に搬送される。
【００１４】
案内面４ａの下流側には、搬送駆動ローラー６ａと搬送従動ローラー６ｂとからなる搬送ローラー対６が備えられる。搬送駆動ローラー６ａは、搬送駆動モーター（不図示）によって駆動回転され、搬送従動ローラー６ｂは、搬送駆動ローラー６ａに対して従動回転する。
【００１５】
搬送従動ローラー６ｂは、回動軸５ａを支点として揺動可能なホルダー５に支持される。ホルダー５には、搬送従動ローラー６ｂを搬送駆動ローラー６ａに対して付勢する付勢部材（不図示）が備えられ、給送ローラー３によって給送された用紙Ｐは、搬送ローラー対６によって挟持されて下流側に搬送される。
【００１６】
搬送ローラー対６の下流側には、インクを噴射する記録ヘッド９が搭載されたキャリッジ７が備えられる。キャリッジ７は、主走査方向Ｘ（図面垂直方向）に延びるガイド軸８に沿って往復移動可能に備えられる。
【００１７】
キャリッジ７には、キャリッジモーター（不図示）の駆動回転により回転する無端ベルト（不図示）が固定されており、キャリッジモーターの駆動回転により、無端ベルトが回転し、キャリッジ７および記録ヘッド９は、主走査方向Ｘに往復移動する。
【００１８】
記録ヘッド９と対向する位置には、下流側に搬送される用紙Ｐを支持する支持部１０が備えられる。支持部１０の下流側には、排出部ガイド部１５が備えられる。用紙Ｐは、支持部１０の搬送面１０ａ、排出部ガイド部１５の搬送面１５ａに沿って下流側に搬送される。搬送面１５ａは、副走査方向Ｙに延びる搬送面１０ａの延長線上に形成される。排出部ガイド部は、支持部１０を下流側に延長した部分に形成し、支持部１０と一体に形成してもよい。
【００１９】
排出部ガイド部１５の下流側には、排出駆動ローラー１１ａと排出従動ローラー１１ｂとからなる排出ローラー対１１が備えられる。排出駆動ローラー１１ａは、搬送駆動モーターの回転駆動力を伝達する歯車（不図示）によって駆動回転され、排出従動ローラー１１ｂは、排出駆動ローラー１１ａに対して従動回転する。
【００２０】
副走査方向Ｙにおいて、記録ヘッド９と排出ローラー対１１との間には、浮き抑えローラー１２が主走査方向Ｘに複数並んで備えられる。図２は、浮き抑えローラー１２の斜視図である。浮き抑えローラー１２は、主走査方向Ｘを軸方向として備えられる軸部１２ａと、ホイール部１２ｂとを有する。ホイール部１２ｂの外周部には、周方向において均等に配置されて外周側に突出する複数の突起部１２ｃが形成されている。
【００２１】
図１の浮き抑えローラー１２は、揺動部材１４を含んで構成される移動機構１３によって、排出部ガイド部１５からの距離を変動可能に備えられる。揺動部材１４は、矢印に示すように、移動機構１３によって回動軸１４ａを支点として回動可能に備えられ、揺動部材１４は、実線で示す回動位置または破線で示す回動位置に設定される。
【００２２】
揺動部材１４における上流側の下側には、面が支持部１０側を向き水平方向に対して傾斜した案内面１４ｂが形成される。下流側に搬送される用紙Ｐの下流側の先端部が案内面１４ｂに当接すると、案内面１４ｂに沿って浮き抑えローラー１２の下端側に案内される。
【００２３】
揺動部材１４が破線で示す回動位置にあるとき、浮き抑えローラー１２の下端から排出部ガイド部１５の搬送面１５ａまでの隙間の距離はＬ１である。揺動部材１４が実線で示す回動位置にあるとき、浮き抑えローラー１２の下端から排出部ガイド部１５の搬送面１５ａまでの隙間の距離はＬ２である。距離Ｌ１は、距離Ｌ２より短い。すなわち、揺動部材１４が破線で示す回動位置にあるとき、浮き抑えローラー１２は鉛直方向Ｚにおける下側の第１の位置にあり、揺動部材１４が実線で示す回動位置にあるとき、浮き抑えローラー１２は鉛直方向Ｚにおける上側の第２の位置にある。
【００２４】
図３（ａ）、（ｂ）は、移動機構１３の構成を説明するための模式図である。図３（ａ）は、図１の揺動部材１４が実線で示す回動位置にあって、浮き抑えローラー１２が鉛直方向Ｚにおける上側の位置にあるときの状態を示す。この浮き抑えローラー１２が鉛直方向Ｚにおける上側の位置にあるときは、図１のキャリッジ７の主走査方向Ｘの移動は停止した状態にあり、排出駆動ローラー１１ａが駆動回転し、用紙Ｐが副走査方向Ｙに搬送される状態にある。
【００２５】
図３（ａ）の移動機構１３には、さらに、排出駆動ローラー１１ａと同軸上に固定された歯車１６、歯車１６と噛合する歯車１７、歯車１７と同軸上に備えられた、ワンウェイクラッチ１８、トルクリミッター１９が設けられる。
【００２６】
ワンウェイクラッチ１８は、一方の回転方向Ｄ２に回転駆動力を伝達し、回転方向Ｄ２と反対方向には回転駆動力を伝達しない。トルクリミッター１９は、一定の回転駆動力を越えると回転駆動力を伝達しない。本実施形態では、排出駆動ローラー１１ａと同軸上に固定された歯車１６と、歯車１７とが噛合して回転駆動力が伝達されたが、排出駆動ローラー１１ａと同軸上に固定された歯車（不図示）と歯車１７との間に複数の歯車（不図示）を配置し、回転駆動力が伝達される構成でもよい。
【００２７】
回転方向Ｄ１に回転する排出駆動ローラー１１ａの回転駆動に伴って、歯車１６を介して歯車１７は、回転方向Ｄ２に回転する。歯車１７の回転駆動力は、ワンウェイクラッチ１８の回転方向Ｄ２の回転駆動力として伝達される。
【００２８】
ワンウェイクラッチ１８の回転駆動力は、トルクリミッター１９よって揺動部材２０の回転駆動力として伝達され、揺動部材２０は、回動軸２０ａを支点として回転方向Ｄ２に回動する。
【００２９】
揺動部材２０の端部２０ｂが揺動部材１４の端部１４ｃの上側に当接した状態で、揺動部材２０が回転方向Ｄ２に回動することにより、揺動部材１４には、回転方向Ｄ３に回動しようとする力が作用する。
【００３０】
移動機構１３には、付勢部材としてのコイル状バネ部材２２が備えられ、コイル状バネ部材２２の一方は、筐体（不図示）に対して固定された固定部２１に固定され、他方は、揺動部材１４の端部１４ｄと連結される。
【００３１】
揺動部材１４の端部１４ｄは、コイル状バネ部材２２によって矢印方向Ｄ４（鉛直方向Ｚの下側）に付勢され、揺動部材１４には、回動軸１４ａを支点として回転方向Ｄ３と反対方向に回動しようとする力が作用する。
【００３２】
揺動部材２０の端部２０ｂが揺動部材１４の端部１４ｃの上側に当接した状態で、揺動部材２０が回転方向Ｄ２に回動すると、揺動部材１４は、コイル状バネ部材２２の付勢力に対抗しながら、回転方向Ｄ３に回動し、図３（ａ）に示すように、揺動部材１４の端部１４ｄが回転止め部２３に当接する。
【００３３】
揺動部材１４が回転止め部２３に当接すると、揺動部材１４の回転方向Ｄ３の回転動作が規制され、揺動部材１４の回動位置が固定される。この状態において、揺動部材１４に支持された浮き抑えローラー１２の下端の位置は、排出部ガイド部１５の搬送面１５ａからの隙間の距離がＬ２の位置（第２の位置）となる。
【００３４】
この状態において、排出駆動ローラー１１ａの駆動回転が続いても、一定以上の回転駆動力を伝達しないトルクリミッター１９によって、揺動部材２０に回転駆動力が伝達されない。これにより、揺動部材２０、揺動部材１４、回転止め部２３が損傷することはない。
【００３５】
図３（ｂ）は、図１の揺動部材１４が、破線で示す回動位置にあって、浮き抑えローラー１２が鉛直方向Ｚにおける下側の位置にある状態を示す。この浮き抑えローラー１２が鉛直方向Ｚにおける下側の位置にあるときは、記録ヘッド９がインクを噴射しながら主走査方向Ｘに移動し、排出駆動ローラー１１ａは駆動回転が停止し、用紙Ｐが静止している状態にある。
【００３６】
排出駆動ローラー１１ａの駆動回転が停止した状態では、揺動部材１４は、コイル状バネ部材２２の付勢力によって図３（ａ）の状態から押し戻されて回転方向Ｄ３と反対方向に回動し、図３（ｂ）に示す回動位置の姿勢で停止する。この状態において、揺動部材１４の端部１４ｄは、回転止め部２３から離れた位置にあり、揺動部材１４に支持された浮き抑えローラー１２の下端の位置は、排出部ガイド部１５の搬送面１５ａからの隙間の距離がＬ１の位置（第１の位置）となる。
【００３７】
コイル状バネ部材２２の付勢力によって、揺動部材１４が回転方向Ｄ３と反対方向に回動したとき、揺動部材２０、トルクリミッター１９の回転部（不図示）が、回転方向Ｄ２と反対方向に回転しても、ワンウェイクラッチ１８によって歯車１７と歯車１６には回転駆動力が伝達されない。これにより、歯車１６に固定された排出駆動ローラー１１ａは回転しない。これにより、排出ローラー対１１に挟持された用紙Ｐが移動することはない。
【００３８】
以上、本実施形態で説明した図１のインクジェット式プリンター１は、用紙Ｐを搬送する搬送部としての搬送ローラー対６と、搬送ローラー対６により搬送された用紙Ｐに往復移動しながら記録する記録部としての記録ヘッド９と、記録ヘッド９に対向可能に設けられ、用紙Ｐを支持する支持部１０と、記録ヘッド９により記録された用紙Ｐを排出する排出部としての排出ローラー対１１と、用紙Ｐに記録された記録面とは反対側に位置し、排出ローラー対１１により排出される用紙Ｐを支持する排出部ガイド部１５と、排出部ガイド部１５と対向可能に設けられ、用紙Ｐの浮きを抑える浮き抑えローラー１２と、排出ローラー対１１により排出される用紙Ｐに対して、浮き抑えローラー１２を排出部ガイド部１５に対して接近および離間する方向に移動させる移動機構１３と、を備える。
【００３９】
インクジェット式プリンター１は、記録ヘッド９による往復移動と搬送ローラー対６による搬送とを交互に行うことで用紙Ｐに記録を行い、浮き抑えローラー１２は、移動機構１３によって、記録ヘッド９が往復移動中には第１の位置（図３（ｂ）参照）に位置し、用紙Ｐが搬送中には第２の位置（図３（ａ）参照）に位置し、第１の位置は、第２の位置よりも排出部ガイド部１５に近い位置にある。
【００４０】
この構成によれば、記録ヘッド９が往復移動中の第１の位置にあるときの浮き抑えローラー１２は、用紙Ｐが搬送中の第２の位置にあるときより、用紙Ｐを排出部ガイド部１５側に近い位置で抑えるので、カールによる用紙Ｐの浮き上がりを抑制し、記録品質が向上する。
【００４１】
下流側に搬送される用紙Ｐの下流側の先端が案内面１４ｂに沿って浮き抑えローラー１２と排出部ガイド部１５との隙間に案内されるとき、浮き抑えローラー１２は、第２の位置にある。浮き抑えローラー１２が第２の位置にあるとき、浮き抑えローラーを備えた揺動部材１４の高さ方向の位置は、浮き抑えローラー１２が第１の位置に位置するときよりも高く、案内面１４ｂも浮き抑えローラー１２が第１の位置に位置するときよりも高い位置に位置している。よって、下流側に搬送される用紙Ｐの下流側の先端が浮き抑えローラー１２と排出部ガイド部１５との隙間に案内されずに、用紙Ｐがジャムに至ってしまうことを抑制できる。尚、用紙Ｐの排出方向に向けて隙間が先細りするテーパー形状である案内面１４ｂは、揺動部材１４とは別個に設ける構成であってもよい。
【００４２】
また、用紙Ｐが搬送中における浮き抑えローラー１２は、第２の位置にある。これにより、第２の位置にあるときの隙間の鉛直方向Ｚの高さは、第１の位置にあるときの隙間の高さより高いので、下流側に搬送される用紙Ｐが浮き抑えローラー１２に当接することによる抵抗を小さくすることができる。
【００４３】
（実施形態２）
実施形態２では、第１の位置が用紙Ｐの厚さに応じて設定されるインクジェット式プリンターについて説明する。図４は、本実施形態における移動機構１３ａの構成を説明するための模式図であり、図１の記録ヘッド９がインクを噴射しながら主走査方向Ｘの移動を実行中で、排出駆動ローラー１１ａは駆動回転が停止し、用紙Ｐが静止しているときの状態を示す。
【００４４】
図４は、図３（ａ）、（ｂ）の固定部２１の代わりに固定部２１ａを備えたものである。本実施形態の固定部２１ａは、筐体に対して鉛直方向Ｚにおいてスライド移動可能である。コイル状バネ部材２２の一方は、固定部２１ａに固定され、他方は、揺動部材１４の端部１４ｄと連結される。
【００４５】
固定部２１ａの鉛直方向Ｚにおける位置は、記録ヘッド９によって記録される用紙Ｐの厚さに応じて設定される。固定部２１ａの鉛直方向Ｚの位置は、インクジェット式プリンター１の操作ボタン（不図示）などの操作部（不図示）によって設定された用紙の種類や、インクジェット式プリンター１の外側に配置されたコンピューター（不図示）で動作するプリンタードライバー（不図示）から送信された用紙の種類を取得し、取得した用紙の種類に応じて固定部２１ａを移動させる機構（不図示）によって設定される。あるいは、インクジェット式プリンター１の使用者が手動操作によって固定部２１ａの鉛直方向Ｚの位置を設定する機構を備えてもよい。
【００４６】
厚い用紙Ｐに記録するときは、固定部２１ａは破線で示した鉛直方向Ｚにおける上側の位置に設定される。薄い用紙Ｐに記録するときは、固定部２１ａは実線で示した鉛直方向Ｚにおける下側の位置に設定される。
【００４７】
排出駆動ローラー１１ａの回転駆動が停止し、図４のコイル状バネ部材２２の矢印方向Ｄ４の付勢力によって回転方向Ｄ５に押し戻された状態における浮き抑えローラー１２の下端の位置を比べると、実線で示した固定部２１ａが鉛直方向Ｚにおける下側の位置に設定されたときの浮き抑えローラー１２の下端から排出部ガイド部１５の搬送面１５ａまでの隙間の距離Ｌ３は、破線で示した固定部２１ａが鉛直方向Ｚにおける上側の位置に設定されたときの浮き抑えローラー１２の下端から排出部ガイド部１５の搬送面１５ａまでの隙間の距離Ｌ４より短い。
【００４８】
すなわち、実線で示した固定部２１ａが鉛直方向Ｚにおける下側の位置に設定されたときの浮き抑えローラー１２の下端の位置は、破線で示した固定部２１ａが鉛直方向Ｚにおける上側の位置に設定されたときの浮き抑えローラー１２の下端の位置より下側にある。
【００４９】
このように、用紙Ｐの搬送が停止され、記録ヘッド９が主走査方向Ｘに移動するときの浮き抑えローラー１２の鉛直方向Ｚにおける位置（第１の位置）は、用紙Ｐの厚さに応じて設定される。鉛直方向Ｚにおける浮き抑えローラー１２の位置は、薄い用紙Ｐに記録するときの方が厚い用紙Ｐに記録するときより排出部ガイド部１５側に設定される。
【００５０】
この構成によれば、薄い用紙Ｐが湾曲して記録ヘッド９のノズル形成面に接触することを抑制できる。本実施形態におけるインクジェット式プリンターのその他の構成は、実施形態１で説明した構成と同じである。
【００５１】
（実施形態３）
実施形態３では、記録ヘッド９が鉛直方向Ｚにおいて移動可能に備えられたインクジェット式プリンターについて説明する。本実施形態における図１の記録ヘッド９は、用紙Ｐの厚さに応じて、支持部１０の搬送面１０ａとの隙間の距離Ｌ５が変動可能に備えられる。
【００５２】
記録ヘッド９の鉛直方向Ｚの位置は、インクジェット式プリンター１の操作ボタンなどの操作部によって設定された用紙の種類や、インクジェット式プリンター１の外側に配置されたコンピューターで動作するプリンタードライバーから送信された用紙の種類を取得し、取得した用紙の種類に応じて記録ヘッド９を移動させる機構によって設定される。あるいは、インクジェット式プリンター１の使用者が手動操作によって記録ヘッド９の鉛直方向Ｚの位置を設定する機構を備えてもよい。
【００５３】
記録ヘッド９と支持部１０の搬送面１０ａとの隙間の距離Ｌ５は、厚い用紙Ｐに記録するときより薄い用紙Ｐに記録するときの方が短くなる。すなわち、薄い用紙Ｐに記録するときの記録ヘッド９の位置は、厚い用紙Ｐに記録するときの記録ヘッド９の位置より支持部１０側の位置に設定される。
【００５４】
本実施形態の浮き抑えローラー１２は、鉛直方向Ｚにおいて移動可能に備えられ、浮き抑えローラー１２の鉛直方向Ｚにおける位置は、記録ヘッド９の鉛直方向Ｚにおける位置と連動して設定可能である。具体的には、例えば、キャリッジ７を支持するガイド軸８と、図４の固定部２１ａが鉛直方向Ｚに移動可能に備えられ、ガイド軸８の鉛直方向Ｚの移動に連動して固定部２１ａが鉛直方向Ｚに移動する構成を備える。
【００５５】
薄い用紙Ｐに記録を行うときは、厚い用紙Ｐに記録を行うときの位置より記録ヘッド９が鉛直方向Ｚの下側の位置に移動する。浮き抑えローラー１２の鉛直方向Ｚにおける第１の位置（すなわち排出ローラー対１１の回転が停止し、記録ヘッド９がインクを噴射しながら主走査方向Ｘに移動するときの位置）は、厚い用紙Ｐに記録を行うときの位置より薄い用紙Ｐに記録を行うときの方が排出部ガイド部１５側の位置に設定される。
【００５６】
このように、本実施形態のインクジェット式プリンターは、浮き抑えローラー１２の第１の位置は、記録ヘッド９の位置が支持部１０側に移動されると、第１の位置は排出部ガイド部１５側に移動される。
【００５７】
この構成によれば、図１の記録ヘッド９が下側に移動した位置に設定されても、記録ヘッド９と支持部１０とが対向する方向（鉛直方向Ｚ）において、記録ヘッド９と浮き抑えローラー１２の下端との距離Ｌ６は確保できるので、浮き抑えローラー１２は、鉛直方向Ｚにおいて記録ヘッド９より下側で用紙Ｐを抑え、用紙Ｐが記録ヘッド９のノズル形成面に接触することを抑制できる。本実施形態におけるインクジェット式プリンターのその他の構成は、実施形態１で説明した構成と同じである。
【００５８】
実施形態１から実施形態３では、移動機構１３，１３ａは、ワンウェイクラッチ１８、トルクリミッター１９を備え、排出駆動ローラー１１ａの駆動力を用いて構成したが、電磁石を用いて浮き抑えローラー１２を移動させる構成でもよい。
【符号の説明】
【００５９】
１…インクジェット式プリンター、６…搬送ローラー対、６ａ…搬送駆動ローラー、６ｂ…搬送従動ローラー、９…記録ヘッド、１０…支持部、１１…排出ローラー対、１１ａ…排出駆動ローラー、１１ｂ…排出従動ローラー、１２…浮き抑えローラー、１２ｃ…突起部、１３，１３ａ…移動機構、１５…排出部ガイド部、Ｌ１〜Ｌ６…距離、Ｐ…用紙。
【図１】
2016034700.tif 000003
【図２】
2016034700.tif 000004
【図３】
2016034700.tif 000005
【図４】
2016034700.tif 000006